(57)【要約】【課題】粗粒状形体の動物用排泄物処理材に香料を含浸させるに当たり、香料揮発抑制材の併用により、香料の香気効果を長期に亘り安定に維持し、例えば製造工程や流通過程で香気成分が減殺され、特に製造工程において乾燥のために加熱すると香気成分が消去されてしまい、使用時には期待する悪臭解消効果が充分に得られない問題を有効に解消し、香料添加目的を適切に達成する。【解決手段】植物繊維又は植物粉２を造粒して吸水性を付与した粗粒体１から成る動物用排泄物処理材において、該粗粒体１の表面に液状の香料３と、液状の香料揮発抑制材４とを噴霧し粗粒体１の表層部に香料含浸層５を形成した構造を有する動物用排泄物処理材。【選択図】　　　　図１
2004033047.tif 000002
【特許請求の範囲】
【請求項１】
植物繊維又は植物粉を造粒して吸水性を付与した粗粒体から成る動物用排泄物処理材において、該粗粒体の表面に液状の香料と、液状の香料揮発抑制材とを噴霧し粗粒体の表層部に香料含浸層を形成した構造を有することを特徴とする動物用排泄物処理材。
【請求項２】
植物繊維又は植物粉を造粒して吸水性を付与した粗粒体から成る動物用排泄物処理材において、該粗粒体の表面に液状の香料と、液状の香料揮発抑制材と、液状の接着材とを噴霧し粗粒体の表層部に香料含浸層を形成した構造を有することを特徴とする動物用排泄物処理材。
【請求項３】
植物繊維又は植物粉を造粒して吸水性を付与した粗粒体から成る動物用排泄物処理材において、上記植物繊維又は植物粉に液状の香料と、液状の香料揮発抑制材とを噴霧したものを造粒して上記粗粒体を形成した構造を有することを特徴とする動物用排泄物処理材。
【請求項４】
植物繊維又は植物粉を造粒して吸水性を付与した粗粒体から成る動物用排泄物処理材において、吸水性を有する粒子に香料を含浸させた香料担体粒子を形成し、該香料担体粒子を上記粗粒体中に含有せしめた構造を有することを特徴とする動物用排泄物処理材。
【請求項５】
上記吸水性を有する粒子が多孔構造のゼオライト又はシリカゲル又はバーミキュライトであることを特徴とする請求項４記載の動物用排泄物処理材。
【請求項６】
上記吸水性を有する粒子が多孔構造の植物繊維又は植物粉又は合成樹脂粉を造粒したものであることを特徴とする請求項４記載の動物用排泄物処理材。
【発明の詳細な説明】
【０００１】
【発明の属する技術分野】
本発明は植物繊維又は植物粉を造粒して吸水性を付与した粗粒体から成る動物用排泄物処理材に関する。
【０００２】
【従来の技術】
植物繊維又は植物粉を造粒して吸水性を付与した粗粒体をトイレ容器に多数敷設し、猫等の愛玩動物又は実験用動物等の排泄に供する動物用排泄物処理材が既知である。
【０００３】
又上記粗粒体に香料を含有させ排泄物の悪臭を香料の香気により解消するようにした動物用排泄物処理材が既知である。
【０００４】
【発明が解決しようとする課題】
然しながら上記動物用排泄物処理材においては、香料の香気効果が短期間で減殺し、例えば製造工程や流通過程で減殺され、特に製造工程において乾燥のために加熱すると香気成分が消去されてしまい、使用時には期待する悪臭解消効果が充分に得られず、香料添加目的を達成し難い問題を有している。
【０００５】
【課題を解決するための手段】
本発明は植物繊維又は植物粉を造粒して吸水性を付与した粗粒体から成る動物用排泄物処理材に係り、該粗粒体の表面に液状の香料と液状の香料揮発抑制材を噴霧し粗粒体の表層部に香料含浸層を形成した構造を有する。
【０００６】
更に上記粗粒体に香料を担持せしめる他の手段として、上記粗粒体から成る動物用排泄物処理材において、該粗粒体の表面に液状の香料と、液状の香料揮発抑制材と、液状の接着材とを噴霧し粗粒体の表層部に香料含浸層を形成した構造を有する。
【０００７】
更に上記粗粒体に香料を担持せしめる他の手段として、上記粗粒体から成る動物用排泄物処理材において、上記植物繊維又は植物粉に液状の香料と、液状の香料揮発抑制材とを噴霧したものを造粒して上記粗粒体を形成した構造を有する。
【０００８】
更に上記粗粒体に香料を担持せしめる他の手段として、上記粗粒体から成る動物用排泄物処理材において、吸水性を有する粒子に香料を含浸させた香料担体粒子を形成し、該香料担体粒子を上記粗粒体中に含有せしめた構造を有する。
【０００９】
上記吸水性を有する粒子は多孔構造のゼオライト又はシリカゲル又はバーミキュライト等の鉱物質粒子であり、該多孔構造内に香料を含浸せしめた香料担体粒子である。
【００１０】
又上記吸水性を有する粒子は多孔構造の植物繊維又は植物粉又は合成樹脂粉を造粒し、これに香料を含浸せしめた香料担体粒子である。
【００１１】
上記動物用排泄物処理材は香料を含浸させるに当たり、香料揮発抑制材の併用により、香料の香気効果を長期に亘り安定に維持し、例えば製造工程や流通過程で香気成分が減殺され、特に製造工程において乾燥のために加熱すると香気成分が消去されてしまい、使用時には期待する悪臭解消効果が充分に得られない問題を有効に解消し、香料添加目的を適切に達成できる。
【００１２】
又上記接着材の併用によって、上記香料と香料揮発抑制材を粗粒体の繊維又は粉末に強固に付着させ、加えて香料成分の隠蔽材、即ち香料揮発抑制材として機能し、上記排尿吸収時の活性なる香気の発生を期待できる。
【００１３】
又ゼオライト又はシリカゲル又はバーミキュライトに代表される上記多孔構造の粒子、即ち吸水性を有する粒子は香料を長期に亘り健全に内包担持し、該香料担体粒子が粗粒体に吸収された排尿を更に吸収して脱臭効果を発揮し、併せて活性なる香気効果が期待できる。
【００１４】
【発明の実施の形態】
以下本発明の実施形態を図１乃至図５に基づいて説明する。
【００１５】
動物用排泄物処理材として、植物繊維又は植物粉２を造粒して吸水性を付与した粗粒体１が既知である。これら植物繊維又は植物粉２の原材は、木材、コーンコブ、おから等であり、木材を原材とする植物繊維又は植物粉２としては、バージンパルプ又は再生パルプ（抄紙された紙から再生されたパルプ）又はパルプスラッジ（抄紙過程で排出されるパルプ残渣）等が既知である。
【００１６】
更にこれらを原材とする植物繊維又は植物粉２の他、竹を原材とする竹繊維又は竹粉等を含む。
【００１７】
図１に示すように、上記植物繊維又は植物粉２を造粒して吸水性を付与した粗粒体１を形成し、該粗粒体１の表面に液状の香料３と液状の香料揮発抑制材４を噴霧し、粗粒体１の表層部に香料含浸層５を形成した構造を有する。図１は植物繊維２を以って粗粒体１を形成した例を示している。
【００１８】
更に図２に示すように、上記粗粒体１に香料３を担持せしめる他の手段として、上記粗粒体１の表面に液状の香料３と、液状の香料揮発抑制材４と、液状の接着材７とを噴霧し、粗粒体１の表層部に香料含浸層５を形成した構造を有する。
【００１９】
更に上記粗粒体１に香料３を担持せしめる他の手段として、図３Ａに示すように、上記植物繊維又は植物粉２の造粒前に液状の香料３と、液状の香料揮発抑制材４とを噴霧し、これを図３Ｂに示すように造粒して上記粗粒体１を形成した構造を有する。
【００２０】
更に上記粗粒体１に香料３を担持せしめる他の手段として、図３Ａに示すように、上記植物繊維又は植物粉２に液状の香料３と、液状の香料揮発抑制材４と、接着材７を噴霧し、これを図３Ｂに示すように造粒して上記粗粒体１を形成した構造を有する。この図３Ｂに示す粗粒体１は、粗粒体組織内に均一に香料３が分散して含有された構造である。
【００２１】
上記図１に示す香料含浸層５を形成した粗粒体１、又は図３Ｂに示す均一に香料３を含有させた粗粒体１は、そのまま動物用排泄物処理材として使用する。又は図５Ａに示すように、上記図１に示す香料含浸層５を形成した粗粒体１、又は香料３を均一に含有させた図３Ｂに示す粗粒体１に、薄い被覆層６を形成する。本発明はこの被覆層６を形成した粗粒体１を包含する。
【００２２】
上記被覆層６は上記香料含浸層５の隠蔽層として機能し、粗粒体製造工程や流通過程における香料成分の無用な消失を抑止する。
【００２３】
上記被覆層６は排泄物の水分の吸水性を有すると共に、排泄物の水分に触れると粘着性を発揮し、排泄領域の粗粒子間を凝結し塊状にするための粘着層として機能する。この被覆層６としては、植物繊維又は植物粉２に粘着材を配合して成る。例えばこの粘着材は吸水性ポリマー、澱粉、ＣＭＣ等である。
【００２４】
又上記香料３は芳香植物、例えばひのき等の木材、花や種子や葉等から抽出した香料成分である。又は化学合成した香料の適用が可能である。
【００２５】
又上記香料揮発抑制材４、即ち香料揮発遅延材はポリエチレングリコール、ポリプロピレングリコール、へキシレングリコール、植物系・石油系のオイル等である。又は適例として、エチレン酢酸ビニル共重合体、適例として該エチレン酢酸ビニル共重合体の中のエチレン・酢ビ−塩ビグラフト重合樹脂が上記香料揮発抑制材４として使用される。これらは揮発し難く、香料３を隠蔽し香気成分の揮発抑制効果を有し、早期の消失を抑止する。
【００２６】
又上記接着材７はポリビニールアルコールに代表される。この接着材７は香料３と香料揮発抑制材４を粗粒体１、即ち該粗粒体１を形成する植物繊維又は植物粉２に健全に付着せしめ、香料添加目的を有効に達成する。
【００２７】
又上記接着材７はその併用によって、上記香料３と香料揮発抑制材４を粗粒体１の植物繊維又は植物粉２に強固に付着させ、加えて香料成分の隠蔽材、即ち香料揮発抑制材として機能する。従ってこの接着材７は上記香料揮発抑制材４に含まれる。換言すると、香料３と接着材７を併用する実施形態は、香料３と香料揮発抑制材４を併用する場合に含まれる。
【００２８】
上記液状の香料３と液状の香料揮発抑制材４は混合状態で粗粒体１の外表面に噴霧し、上記香料含有層５を形成する。又は上記粗粒体１の外表面に香料３を噴霧した後、同外表面に香料揮発抑制材４を噴霧し、上記香料含浸層５を形成する。
【００２９】
更に上記粗粒体１に香料３を担持せしめる他の手段として図４に示すように、多孔構造の粒子に代表される吸水性粒子に香料３を含浸させた香料担体粒子８を形成し、該香料担体粒子８を上記粗粒体１中に含有せしめた構造を有する。図面は植物粉２で粗粒体１を形成した例を示している。
【００３０】
上記多孔構造の粒子はゼオライト又はシリカゲル又はバーミキュライトであり、該多孔構造内に香料３を含浸せしめた香料担体粒子８である。
【００３１】
又上記吸水性を有する粒子は植物繊維又は植物粉２を造粒し、これに香料３を含浸せしめた香料担体粒子８である。この植物繊維又は植物粉２の具体例は粗粒体１について説明した通りである。又は上記吸水性を有する粒子は合成樹脂粉を小粒子に造粒し、これに香料３を含浸せしめた香料担体粒子８である。
【００３２】
上記多孔構造の粒子に代表される吸水性粒子に香料３を含浸させるに際し、前記香料揮発抑制材４又は／及び接着材７を併用し、含浸させることができる。
【００３３】
上記ゼオライト又はシリカゲル又はバーミキュライト等はそれ自体脱臭効果を有し、該脱臭効果と上記香料３による香気との相乗効果により、排泄物の悪臭防止効果を向上する。
【００３４】
又ゼオライトはマイナスイオンを発生することが証明されており、このマイナスイオン効果により、重金属等の有害成分を除去する効果が期待できる。
【００３５】
前記と同様、上記図４に示す香料担体粒子８を含有せる粗粒体１は、そのまま動物用排泄物処理材として使用する。又は図５Ｂに示すように、上記図４に示す香料担体粒子８を含有せる粗粒体１に、薄い被覆層６を形成する。本発明はこの被覆層６を形成した粗粒体１を包含する。上記被覆層６の具体構造とその機能は前記した通りである。
【図面の簡単な説明】
【図１】吸水性を有する粗粒体に香料を担持せしめる第１例を示す動物用排泄物処理材の断面図。
【図２】吸水性を有する粗粒体に香料を担持せしめる第２例を示す動物用排泄物処理材の断面図。
【図３】Ａ，Ｂは吸水性を有する粗粒体に香料を担持せしめる第３例を示し、Ａは造粒前の状態を示す断面図、Ｂは造粒後の状態を示す動物用排泄物処理材の断面図。
【図４】吸水性を有する粗粒体に香料を担持せしめる第４例を示す動物用排泄物処理材の断面図。
【図５】Ａは上記第１乃至第３例において被覆層を形成した粗粒体の断面図、Ｂは上記第４例において被覆層を形成した粗粒体の断面図。
【符号の説明】
１…粗粒体、２…植物繊維又は植物粉、３…香料、４…香料揮発抑制材、５…香料含浸層、６…被覆層、７…接着材、８…香料担体粒子
【図１】
2004033047.tif 000003
【図２】
2004033047.tif 000004
【図３】
2004033047.tif 000005
【図４】
2004033047.tif 000006
【図５】
2004033047.tif 000007